(57)【要約】【課題】太陽光発電量予測方法及び装置を提供する。【解決手段】太陽光パネルが設置されたか又は設置しようとする位置情報、太陽光パネルの設置角度情報及び太陽光パネルの設置方向情報を提供するセンサ部、日射量を阻害する物体情報である日射量阻害物情報を提供するカメラ部、及び外部入力に基づいて太陽光パネル仕様情報及びインバータ仕様情報の入力を受ける仕様情報入力部を含む太陽光発電量予測装置及びその方法が開示される。【選択図】図１
2019045462.tif 000002
【特許請求の範囲】
【請求項１】
太陽光パネルが設置された位置又は設置しようとする位置を示す位置情報、太陽光パネルの設置角度情報及び太陽光パネルの設置方向情報を提供するセンサ部、
日射量を阻害する物体情報である日射量阻害物情報を提供するカメラ部、及び
外部入力に基づいて太陽光パネル仕様情報及びインバータ仕様情報の入力を受ける仕様情報入力部を含むことを特徴とする太陽光発電量予測装置。
【請求項２】
前記センサ部は、位置センサ及び地磁界センサを含むことを特徴とする、請求項１に記載の太陽光発電量予測装置。
【請求項３】
前記太陽光パネル仕様情報は、太陽光パネルの表面透過率及び太陽光パネルの発電効率を含むことを特徴とする、請求項１に記載の太陽光発電量予測装置。
【請求項４】
前記インバータ仕様情報は、太陽光パネルを介して蓄電された直流を交流に変換する過程で発生する電力損失を示すインバータ変換効率であることを特徴とする、請求項１に記載の太陽光発電量予測装置。
【請求項５】
前記位置情報に基づいて気象情報データベースから気象情報を取得する気象情報取得部をさらに含むことを特徴とする、請求項１に記載の太陽光発電量予測装置。
【請求項６】
前記気象情報は、太陽光パネルが設置される位置の温度、湿度、風速、風向き及び雲量のうち少なくとも一つを含むことを特徴とする、請求項５に記載の太陽光発電量予測装置。
【請求項７】
前記位置情報に基づいて太陽光パネルと太陽との間の高度角を計算し、前記気象情報及び前記日射量阻害物情報に基づいて太陽光パネル設置位置の日射量を計算し、前記高度角、前記太陽光パネル設置位置の日射量、前記太陽光パネルの設置角度情報及び前記太陽光パネルの設置方向情報に基づいて太陽光パネル傾斜面の日射量を計算する日射量計算部、及び
前記太陽光パネル傾斜面の日射量、前記太陽光パネル仕様情報及び前記インバータ仕様情報に基づいて太陽光発電量を計算する発電量計算部をさらに含むことを特徴とする、請求項５に記載の太陽光発電量予測装置。
【請求項８】
前記日射量計算部は、前記日射量阻害物情報に基づいて太陽光パネル設置位置の日射量が阻害される割合を計算することを特徴とする、請求項７に記載の太陽光発電量予測装置。
【請求項９】
前記発電量計算部は、前記太陽光パネル傾斜面の日射量及び前記太陽光パネル仕様情報に基づいて直流発電量を計算し、前記直流発電量及び前記インバータ仕様情報に基づいて交流発電量を計算することを特徴とする、請求項７に記載の太陽光発電量予測装置。
【請求項１０】
前記位置情報、前記太陽光パネルの設置角度情報、前記太陽光パネルの設置方向情報、前記日射量阻害物情報、前記太陽光パネル仕様情報及び前記インバータ仕様情報を太陽光発電量の計算を行う情報処理装置に送信する通信部をさらに含むことを特徴とする、請求項１に記載の太陽光発電量予測装置。
【請求項１１】
太陽光発電量を計算するための情報を提供する情報取得装置から太陽光パネルが設置された位置又は設置しようとする位置を示す位置情報、太陽光パネルの設置角度情報、太陽光パネルの設置方向情報、日射量を阻害する物体情報である日射量阻害物情報、太陽光パネル仕様情報及びインバータ仕様情報を受信する通信部、
前記位置情報に基づいて気象情報データベース又は前記情報取得装置から気象情報を取得する気象情報取得部、
前記位置情報に基づいて太陽光パネルと太陽との間の高度角を計算し、前記気象情報及び前記日射量阻害物情報に基づいて太陽光パネル設置位置の日射量を計算し、前記高度角、前記太陽光パネル設置位置の日射量、前記太陽光パネルの設置角度情報及び前記太陽光パネルの設置方向情報に基づいて太陽光パネル傾斜面の日射量を計算する日射量計算部、及び
前記太陽光パネル傾斜面の日射量、前記太陽光パネル仕様情報及び前記インバータ仕様情報に基づいて太陽光発電量を計算する発電量計算部を含むことを特徴とする情報処理装置。
【請求項１２】
コンピュータが実行する、
太陽光パネルが設置された位置又は設置しようとする位置を示す位置情報、太陽光パネルの設置角度情報及び太陽光パネルの設置方向情報を提供するステップ、
日射量を阻害する物体情報である日射量阻害物情報を提供するステップ、及び
外部入力に基づいて太陽光パネル仕様情報及びインバータ仕様情報の入力を受けるステップを含むことを特徴とする太陽光発電量予測方法。
【請求項１３】
コンピュータが実行する、
太陽光発電量を計算するための情報を提供する情報取得装置から太陽光パネルが設置された位置又は設置しようとする位置を示す位置情報、太陽光パネルの設置角度情報、太陽光パネルの設置方向情報、日射量を阻害する物体情報である日射量阻害物情報、太陽光パネル仕様情報及びインバータ仕様情報を受信するステップ、
前記位置情報に基づいて気象情報データベース又は前記情報取得装置から気象情報を取得するステップ、
前記位置情報に基づいて太陽光パネルと太陽との間の高度角を計算し、前記気象情報及び前記日射量阻害物情報に基づいて太陽光パネル設置位置の日射量を計算し、前記高度角、前記太陽光パネル設置位置の日射量、前記太陽光パネルの設置角度情報及び前記太陽光パネルの設置方向情報に基づいて太陽光パネル傾斜面の日射量を計算するステップ、及び
前記太陽光パネル傾斜面の日射量、前記太陽光パネル仕様情報及び前記インバータ仕様情報に基づいて太陽光発電量を計算するステップを含むことを特徴とする情報処理方法。
【請求項１４】
コンピュータが請求項１２に記載の方法を実行するためのプログラム。
【発明の詳細な説明】
【技術分野】
【０００１】
本発明は、太陽光発電量予測方法及び装置に関し、より詳しくは、センサ部、カメラ部及び仕様情報入力部等が提供する情報に基づいて太陽光パネルの太陽光発電量を予測する方法及び装置に関する。
【背景技術】
【０００２】
世界的に環境問題が深刻に台頭するにつれて、太陽光発電等のような代替エネルギーに関する技術開発が活発に行われている。代替エネルギーのうち、太陽光発電は、環境に優しく、無公害エネルギーとして脚光を浴びており、設置容量が日増しに増加する傾向にある。近来、特に住宅及びアパート等のための家庭用太陽光パネルの設置も毎年急速に増加している。
【０００３】
しかし、太陽光の発電量は、日射量（ｓｏｌａｒ  ｒａｄｉａｔｉｏｎ）及び温度のような気象環境、太陽光パネル設置場所の位置、太陽光パネルの指向角度等に影響を受ける。よって、太陽光パネルを設置する際、前記太陽光発電量に影響を与える情報を取得する技術及び取得した情報に基づいて太陽光発電量に対する予測を行う技術が必要である。
【発明の概要】
【発明が解決しようとする課題】
【０００４】
本発明は、上述した技術的問題に対応するために導き出されたものであり、本発明の目的は、従来技術における限界と短所によって発生する様々な問題点を実質的に補完できるものとして、センサ部、カメラ部及び仕様情報入力部等が提供する情報に基づいて太陽光パネルの太陽光発電量を予測する方法及びその装置を提供することにあり、前記方法を実行させるためのプログラムを記録したコンピュータ読み取り可能な記録媒体を提供することにある。
【０００５】
なお、本研究は、２０１６年度産業通商資源部（ＭＯＴＩＥ）と韓国エネルギー技術評価院（ＫＥＴＥＰ）の支援を受けて遂行した研究課題である。  （No. 20161210200410）。
【課題を解決するための手段】
【０００６】
本発明の一実施形態によれば、太陽光発電量予測方法は、太陽光パネルが設置された位置又は設置しようとする位置を示す位置情報、太陽光パネルの設置角度情報及び太陽光パネルの設置方向情報を提供するステップ、日射量を阻害する物体情報である日射量阻害物情報を提供するステップ、及び外部入力に基づいて太陽光パネル仕様情報及びインバータ仕様情報の入力を受けるステップを含む。
【０００７】
本発明の一実施形態によれば、前記太陽光パネルが設置された位置又は設置しようとする位置を示す位置情報、太陽光パネルの設置角度情報及び太陽光パネルの設置方向情報を提供するステップは、位置センサ及び地磁界センサによって行われる。
【０００８】
本発明の一実施形態によれば、前記太陽光パネル仕様情報は、太陽光パネルの表面透過率及び太陽光パネルの発電効率を含む。
【０００９】
本発明の一実施形態によれば、前記インバータ仕様情報は、太陽光パネルを介して蓄電された直流を交流に変換する過程で発生する電力損失を示すインバータ変換効率である。
【００１０】
本発明の一実施形態によれば、前記位置情報に基づいて気象情報データベースから気象情報を取得するステップをさらに含む。
【００１１】
本発明の一実施形態によれば、前記気象情報は、太陽光パネルが設置される位置の温度、湿度、風速、風向き及び雲量のうち少なくとも一つを含む。
【００１２】
本発明の一実施形態によれば、前記位置情報に基づいて太陽光パネルと太陽との間の高度角を計算し、前記気象情報及び前記日射量阻害物情報に基づいて太陽光パネル設置位置の日射量を計算し、前記高度角、前記太陽光パネル設置位置の日射量、前記太陽光パネルの設置角度情報及び前記太陽光パネルの設置方向情報に基づいて太陽光パネル傾斜面の日射量を計算するステップ、及び前記太陽光パネル傾斜面の日射量、前記太陽光パネル仕様情報及び前記インバータ仕様情報に基づいて太陽光発電量を計算するステップをさらに含む。
【００１３】
本発明の一実施形態によれば、前記太陽光パネル傾斜面の日射量を計算するステップは、前記日射量阻害物情報に基づいて太陽光パネル設置位置の日射量が阻害される割合を計算する。
【００１４】
本発明の一実施形態によれば、前記太陽光発電量を計算するステップは、前記太陽光パネル傾斜面の日射量及び前記太陽光パネル仕様情報に基づいて直流発電量を計算し、前記直流発電量及び前記インバータ仕様情報に基づいて交流発電量を計算する。
【００１５】
本発明の一実施形態によれば、前記位置情報、前記太陽光パネルの設置角度情報、前記太陽光パネルの設置方向情報、前記日射量阻害物情報、前記太陽光パネル仕様情報及び前記インバータ仕様情報を太陽光発電量の計算を行う情報処理装置に送信するステップをさらに含む。
【００１６】
一方、本発明の一実施形態によれば、情報処理方法は、太陽光発電量を計算するための情報を提供する情報取得装置から太陽光パネルが設置された位置又は設置しようとする位置を示す位置情報、太陽光パネルの設置角度情報、太陽光パネルの設置方向情報、日射量を阻害する物体情報である日射量阻害物情報、太陽光パネル仕様情報及びインバータ仕様情報を受信するステップ、前記位置情報に基づいて気象情報データベース又は前記情報取得装置から気象情報を取得するステップ、前記位置情報に基づいて太陽光パネルと太陽との間の高度角を計算し、前記気象情報及び前記日射量阻害物情報に基づいて太陽光パネル設置位置の日射量を計算し、前記高度角、前記太陽光パネル設置位置の日射量、前記太陽光パネルの設置角度情報及び前記太陽光パネルの設置方向情報に基づいて太陽光パネル傾斜面の日射量を計算するステップ、及び前記太陽光パネル傾斜面の日射量 、前記太陽光パネル仕様情報及び前記インバータ仕様情報に基づいて太陽光発電量を計算するステップを含む。
【００１７】
本発明の一実施形態によれば、前記太陽光パネル仕様情報は、太陽光パネルの表面透過率及び太陽光パネルの発電効率を含む。
【００１８】
本発明の一実施形態によれば、前記インバータ仕様情報は、太陽光パネルを介して蓄電された直流を交流に変換する過程で発生する電力損失を示すインバータ変換効率である。
【００１９】
本発明の一実施形態によれば、前記気象情報は、太陽光パネルが設置される位置の温度、湿度、風速、風向き及び雲量のうち少なくとも一つを含む。
【００２０】
本発明の一実施形態によれば、前記太陽光パネル傾斜面の日射量を計算するステップは、前記日射量阻害物情報に基づいて太陽光パネル設置位置の日射量が阻害される割合を計算する。
【００２１】
本発明の一実施形態によれば、前記太陽光発電量を計算するステップは、前記太陽光パネル傾斜面の日射量及び前記太陽光パネル仕様情報に基づいて直流発電量を計算し、前記直流発電量及び前記インバータ仕様情報に基づいて交流発電量を計算する。
【００２２】
また、本発明の一実施形態によれば、前記方法を実行するためのプログラムが記録されたコンピュータ読み取り可能な記録媒体を含む。
【００２３】
なお、本発明の一実施形態によれば、太陽光発電量予測装置は、太陽光パネルが設置された位置又は設置しようとする位置を示す位置情報、太陽光パネルの設置角度情報及び太陽光パネルの設置方向情報を提供するセンサ部、日射量を阻害する物体情報である日射量阻害物情報を提供するカメラ部、及び外部入力に基づいて太陽光パネル仕様情報及びインバータ仕様情報の入力を受ける仕様情報入力部を含む。
【００２４】
さらに、本発明の一実施形態によれば、情報処理装置は、太陽光発電量を計算するための情報を提供する情報取得装置から太陽光パネルが設置された位置又は設置しようとする位置を示す位置情報、太陽光パネルの設置角度情報、太陽光パネルの設置方向情報、日射量を阻害する物体情報である日射量阻害物情報、太陽光パネル仕様情報及びインバータ仕様情報を受信する通信部、前記位置情報に基づいて気象情報データベース又は前記情報取得装置から気象情報を取得する気象情報取得部、前記位置情報に基づいて太陽光パネルと太陽との間の高度角を計算し、前記気象情報及び前記日射量阻害物情報に基づいて太陽光パネル設置位置の日射量を計算し、前記高度角、前記太陽光パネル設置位置の日射量、前記太陽光パネルの設置角度情報及び前記太陽光パネルの設置方向情報に基づいて太陽光パネル傾斜面の日射量を計算する日射量計算部、及び前記太陽光パネル傾斜面の日射量、前記太陽光パネル仕様情報及び前記インバータ仕様情報に基づいて太陽光発電量を計算する発電量計算部を含む。
【発明の効果】
【００２５】
本発明によれば、太陽光パネルを設置する予定であるか又は既に設置した位置にモバイル端末等の太陽光発電量予測装置を持って位置させ、インターネットを介して接続可能な気象情報データベースから気象情報を得、ユーザから太陽光パネル仕様情報及びインバータ仕様情報の入力を受けることによって太陽光発電量を精密に予測することができる。よって、別途の追加の入力なしで、太陽光パネルを設置する予定であるか又は既に設置した位置においてモバイル端末等の太陽光発電量予測装置を持って角度及び方向を調節するだけで過去発電量を類推するか又は未来発電量を推定することによって太陽光パネルを設置するための最適の位置と姿勢を決定することができ、太陽光パネルの設置可否及び経済性を分析するのに活用することができる。
【図面の簡単な説明】
【００２６】
【図１】本発明の一実施形態による太陽光発電量予測装置を示す図である。
【図２】本発明の一実施形態による太陽光発電量予測装置のブロック図である。
【図３】本発明の一実施形態による太陽光発電量予測方法のフローチャートである。
【図４】本発明の一実施形態による太陽光パネル傾斜面の日射量を計算する方法のフローチャートである。
【図５】本発明の他の実施形態による太陽光発電量予測システムのブロック図である。
【発明を実施するための形態】
【００２７】
以下、添付図面を参照して本発明の好ましい実施形態について詳しく説明する。図面における同一の参照符号は同一の構成要素を指し示し、図面上における各構成要素の大きさは説明の明瞭性のために誇張されることがある。
【００２８】
図１は、本発明の一実施形態による太陽光発電量予測装置を示す図である。
本実施形態によれば、太陽光パネルを設置する予定であるか又は既に設置した位置に太陽光発電量予測装置１００を持って位置させ、インターネットを介して接続可能な気象情報データベースから気象情報を得て、ユーザから太陽光パネル仕様情報及びインバータ仕様情報の入力を受けることによって、太陽光発電量を精密に予測することができる。太陽光発電量予測装置１００は、位置センサ及び地磁界センサ等のセンサ部を含んでおり、別途の特殊センサや外部入力がなくても、太陽光パネルが設置された位置又は設置しようとする位置を示す位置情報、太陽光パネルの設置角度情報及び太陽光パネルの設置方向情報を取得することができる。
【００２９】
したがって、太陽光発電量予測装置１００は、別途の追加の入力がなくても、太陽光パネルを設置する予定であるか又は既に設置した位置において太陽光発電量予測装置１００を持って角度及び方向を調節するだけで過去発電量を類推するか又は未来発電量を推定することによって太陽光パネルを設置するための最適の位置と姿勢を決定することができ、ユーザが太陽光パネルの設置可否及び経済性を分析するのに活用することができる。
【００３０】
本実施形態において、太陽光発電量予測装置１００としてはスマートフォン、タブレット等を含むモバイル端末を例示したが、他の形態の装置も可能であることは当業者にとって明らかなことである。
【００３１】
図２は、本発明の一実施形態による太陽光発電量予測装置１００のブロック図である。
本実施形態による太陽光発電量予測装置２００は、センサ部２１０、気象情報取得部２２０、カメラ部２３０、仕様情報入力部２４０、日射量計算部２５０及び発電量計算部２６０を含む。
【００３２】
センサ部２１０は、太陽光パネルが設置された位置又は設置しようとする位置を示す位置情報、太陽光パネルの設置角度情報及び太陽光パネルの設置方向情報を提供する。センサ部２１０は、位置センサ及び地磁界センサを含む。センサ部２１０は、位置センサを介して太陽光パネルが設置された位置又は設置しようとする位置の緯度及び経度を含む位置情報を取得する。センサ部２１０は、位置センサ及び地磁界センサを介して、太陽光パネルの設置角度情報及び太陽光パネルの設置方向情報を取得する。
【００３３】
気象情報取得部２２０は、前記位置情報に基づいて気象情報データベースから気象情報を取得する。前記気象情報は、太陽光パネルが設置される位置の温度、湿度、風速、風向き及び雲量のうち少なくとも一つを含む。気象情報取得部２２０は、インターネット通信を介して気象情報データベースから気象情報を取得する。
【００３４】
カメラ部２３０は日射量阻害物情報を提供する。前記日射量阻害物情報は、カメラ部２３０が撮影した、日射量を阻害する物体情報である。例えば、太陽光パネルが設置される位置に太陽を遮る建物がある場合、この建物によって日射量が阻害される。
【００３５】
仕様情報入力部２４０は、外部入力に基づいて太陽光パネル仕様情報及びインバータ仕様情報の入力を受ける。仕様情報入力部２４０は、例えば、太陽光発電量予測装置１００のユーザが入力した太陽光パネル仕様情報及びインバータ仕様情報を受ける。
【００３６】
前記太陽光パネル仕様情報は、太陽光パネルの表面透過率及び太陽光パネルの発電効率を含む。前記太陽光パネルの表面透過率は、太陽光が太陽光パネルから反射されずに吸収される割合を意味する。前記太陽光パネルの発電効率は、太陽光パネルが受ける太陽光をどれほど吸収して電気に変換できるかを示す割合を意味する。本発明の一実施形態によれば、ユーザは予め入力又は記憶された太陽光パネル製品の型名を選択するか又は直接入力することによって前記太陽光パネル仕様情報を入力することができる。
【００３７】
前記インバータ仕様情報は、直流から交流に変換する過程で発生する電力損失を示すインバータ変換効率である。太陽光パネルを介して蓄電される電気は直流であるため、インバータは蓄電された直流を我々が使用する電気形態である交流に変換する。この時、前記インバータ変換効率に基づいた電力損失が発生するため、後述する発電量計算部２６０は、発電量の計算に前記電力損失を反映する。本発明の一実施形態によれば、ユーザは予め入力されたインバータ製品を選択するか又は直接入力することによって前記インバータ仕様情報を入力することができる。
【００３８】
日射量計算部２５０は太陽光パネル傾斜面の日射量を計算する。
具体的には、日射量計算部２５０は、前記位置情報に基づいて太陽光パネルと太陽との間の高度角を計算する。
【００３９】
日射量計算部２５０は、前記気象情報及び前記日射量阻害物情報に基づいて太陽光パネル設置位置の日射量を計算する。具体的には、日射量計算部２５０は、カメラ部が撮影した、日射量を阻害する物体情報に基づいて太陽光パネル設置位置の日射量が阻害される割合を計算し、この阻害割合及び前記気象情報に基づいて太陽光パネル設置位置の日射量を計算する。
【００４０】
日射量計算部２５０は、前記高度角、前記太陽光パネル設置位置の日射量、前記太陽光パネルの設置角度情報及び前記太陽光パネルの設置方向情報に基づいて太陽光パネル傾斜面の日射量を計算する。
【００４１】
発電量計算部２６０は、前記太陽光パネル傾斜面の日射量、前記太陽光パネル仕様情報及び前記インバータ仕様情報に基づいて太陽光発電量を計算する。発電量計算部２６０は、前記太陽光パネル傾斜面の日射量及び前記太陽光パネル仕様情報に基づいて直流発電量を計算し、前記直流発電量及び前記インバータ仕様情報に基づいて交流発電量を計算する。
【００４２】
図３は、本発明の一実施形態による太陽光発電量予測方法のフローチャートである。
【００４３】
ステップ３１０において、本発明の一実施形態による太陽光発電量予測装置２００は、太陽光パネルが設置された位置又は設置しようとする位置を示す位置情報、太陽光パネルの設置角度情報及び太陽光パネルの設置方向情報を取得する。
【００４４】
ステップ３２０において、本発明の一実施形態による太陽光発電量予測装置２００は、前記位置情報に基づいて気象情報データベースから気象情報を取得する。
【００４５】
ステップ３３０において、本発明の一実施形態による太陽光発電量予測装置２００は、日射量阻害物情報を取得する。
【００４６】
ステップ３４０において、本発明の一実施形態による太陽光発電量予測装置２００は、外部入力に基づいて太陽光パネル仕様情報及びインバータ仕様情報の入力を受ける。
【００４７】
ステップ３５０において、本発明の一実施形態による太陽光発電量予測装置２００は、太陽光パネル傾斜面の日射量を計算する。太陽光パネル傾斜面の日射量を計算する方法は図４を参照して具体的に後述する。
【００４８】
ステップ３６０において、本発明の一実施形態による太陽光発電量予測装置２００は、前記太陽光パネル傾斜面の日射量、前記太陽光パネル仕様情報及び前記インバータ仕様情報に基づいて太陽光発電量を計算する。
【００４９】
図４は、本発明の一実施形態による太陽光パネル傾斜面の日射量を計算する方法のフローチャートである。
【００５０】
ステップ４１０において、本発明の一実施形態による太陽光発電量予測装置２００は、前記位置情報に基づいて太陽光パネルと太陽との間の高度角を計算する。
【００５１】
ステップ４２０において、本発明の一実施形態による太陽光発電量予測装置２００は、前記気象情報及び前記日射量阻害物情報に基づいて太陽光パネル設置位置の日射量を計算する。
【００５２】
ステップ４３０において、本発明の一実施形態による太陽光発電量予測装置２００は、前記高度角、前記太陽光パネル設置位置の日射量、前記太陽光パネルの設置角度情報及び前記太陽光パネルの設置方向情報に基づいて太陽光パネル傾斜面の日射量を計算する。
【００５３】
図５は、本発明の他の実施形態による太陽光発電量予測システムのブロック図である。
【００５４】
本発明の他の実施形態による太陽光発電量予測システム５００は、情報取得装置５７０及び情報処理装置５８０を含む。情報取得装置５７０は、太陽光発電量の予測に必要な位置情報、日射量阻害物情報、気象情報等の情報を取得し、情報処理装置５８０に太陽光発電量の予測に必要な情報を送信する装置である。情報処理装置５８０は、情報取得装置５７０から太陽光発電量の予測に必要な情報を受信して太陽光発電量を計算する装置である。情報取得装置５７０はスマートフォン、タブレット等を含むモバイル端末であってもよいが、太陽光発電量の予測に必要な情報を提供する他の形態の装置も可能であることは当業者にとって明らかなことである。情報処理装置５８０はサーバであってもよいが、太陽光発電量の計算を行う他の形態の装置も可能であることは当業者にとって明らかなことである。
【００５５】
情報取得装置５７０は、センサ部５１０、気象情報取得部５２０、カメラ部５３０及び仕様情報入力部５４０を含む。
【００５６】
センサ部５１０は、太陽光パネルが設置された位置又は設置しようとする位置を示す位置情報、太陽光パネルの設置角度情報及び太陽光パネルの設置方向情報を提供する。センサ部５１０は、位置センサ及び地磁界センサを含む。センサ部５１０は、位置センサを介して太陽光パネルが設置されたか又は設置しようとする位置の緯度及び経度を含む位置情報を取得する。センサ部５１０は、位置センサ及び地磁界センサを介して、太陽光パネルの設置角度情報及び太陽光パネルの設置方向情報を取得する。
【００５７】
気象情報取得部５２０は、前記位置情報に基づいて気象情報データベースから気象情報を取得する。前記気象情報は、太陽光パネルが設置される位置の温度、湿度、風速、風向き及び雲量のうち少なくとも一つを含む。気象情報取得部５２０は、インターネット通信を介して気象情報データベースから気象情報を取得する。
【００５８】
カメラ部５３０は、日射量を阻害する物体情報である日射量阻害物情報を提供する。
仕様情報入力部５４０は、外部入力に基づいて太陽光パネル仕様情報及びインバータ仕様情報の入力を受ける。前記太陽光パネル仕様情報は、太陽光パネルの表面透過率及び太陽光パネルの発電効率を含む。本実施形態によれば、ユーザは予め入力された太陽光パネル製品を選択するか又は直接入力することによって前記太陽光パネル仕様情報を入力することができる。前記インバータ仕様情報は、直流から交流に変換する過程で発生する電力損失を示すインバータ変換効率である。本実施形態によれば、ユーザは予め入力されたインバータ製品を選択するか又は直接入力することによって前記インバータ仕様情報を入力することができる。
【００５９】
情報取得装置５７０は通信部をさらに含む。通信部は、前記位置情報、前記太陽光パネルの設置角度情報、前記太陽光パネルの設置方向情報、前記日射量阻害物情報、前記気象情報、前記太陽光パネル仕様情報及び前記インバータ仕様情報を情報処理装置５８０に送信する。
【００６０】
情報処理装置５８０は、通信部、日射量計算部５５０及び発電量計算部５６０を含む。
通信部は、情報取得装置５７０から太陽光パネルが設置された位置又は設置しようとする位置を示す前記位置情報、前記太陽光パネルの設置角度情報、前記太陽光パネルの設置方向情報、前記日射量阻害物情報、前記気象情報、前記太陽光パネル仕様情報及び前記インバータ仕様情報を受信する。
【００６１】
日射量計算部５５０は、太陽光パネル傾斜面の日射量を計算する。具体的には、日射量計算部５５０は、前記位置情報に基づいて太陽光パネルと太陽との間の高度角を計算する。日射量計算部５５０は、前記気象情報及び前記日射量阻害物情報に基づいて太陽光パネル設置位置の日射量を計算する。具体的には、日射量計算部５５０は、カメラ部が撮影した、日射量を阻害する物体情報に基づいて太陽光パネル設置位置の日射量が阻害される割合を計算し、この阻害割合及び前記気象情報に基づいて太陽光パネル設置位置の日射量を計算する。日射量計算部５５０は、前記高度角、前記太陽光パネル設置位置の日射量、前記太陽光パネルの設置角度情報及び前記太陽光パネルの設置方向情報に基づいて太陽光パネル傾斜面の日射量を計算する。
【００６２】
発電量計算部５６０は、前記太陽光パネル傾斜面の日射量、前記太陽光パネル仕様情報及び前記インバータ仕様情報に基づいて太陽光発電量を計算する。発電量計算部５６０は、前記太陽光パネル傾斜面の日射量及び前記太陽光パネル仕様情報に基づいて直流発電量を計算し、前記直流発電量及び前記インバータ仕様情報に基づいて交流発電量を計算する。
【００６３】
一方、本発明のまた他の実施形態による太陽光発電量予測システムは、情報取得装置及び情報処理装置を含む。情報取得装置は、太陽光発電量の予測に必要な位置情報等の情報を取得し、情報処理装置に太陽光発電量の予測に必要な情報を送信する装置である。情報処理装置は、情報取得装置から位置情報等といった太陽光発電量の予測に必要な情報を受信し、前記位置情報に基づいて気象情報データベースから気象情報を取得して太陽光発電量を計算する装置である。情報取得装置はスマートフォン、タブレット等を含むモバイル端末であってもよいが、太陽光発電量の予測に必要な情報を提供する他の形態の装置も可能であることは当業者にとって明らかなことである。情報処理装置はサーバであってもよいが、太陽光発電量の計算を行う他の形態の装置も可能であることは当業者にとって明らかなことである。
【００６４】
情報取得装置は、センサ部、カメラ部及び仕様情報入力部を含む。センサ部、カメラ部及び仕様情報入力部の構成要素及び動作は図５を参照して前述した実施形態と同様である。
【００６５】
情報取得装置は通信部をさらに含む。通信部は、位置情報、太陽光パネルの設置角度情報、太陽光パネルの設置方向情報、日射量阻害物情報、太陽光パネル仕様情報及びインバータ仕様情報を太陽光発電量の計算を行う情報処理装置に送信する。
【００６６】
情報処理装置は、通信部、気象情報取得部、日射量計算部及び発電量計算部を含む。
通信部は、情報取得装置から太陽光パネルが設置された位置又は設置しようとする位置を示す位置情報、太陽光パネルの設置角度情報、太陽光パネルの設置方向情報、日射量阻害物情報、太陽光パネル仕様情報及びインバータ仕様情報を受信する。
【００６７】
気象情報取得部は、前記位置情報に基づいて気象情報データベースから気象情報を取得する。前記気象情報は、太陽光パネルが設置される位置の温度、湿度、風速、風向き及び雲量のうち少なくとも一つを含む。気象情報取得部は、インターネット通信を介して気象情報データベースから気象情報を取得する。
【００６８】
日射量計算部は、太陽光パネル傾斜面の日射量を計算する。具体的には、日射量計算部は、前記位置情報に基づいて太陽光パネルと太陽との間の高度角を計算する。日射量計算部は、前記気象情報及び前記日射量阻害物情報に基づいて太陽光パネル設置位置の日射量を計算する。具体的には、日射量計算部は、カメラ部が撮影した、日射量を阻害する物体情報に基づいて太陽光パネル設置位置の日射量が阻害される割合を計算し、この阻害割合及び前記気象情報に基づいて太陽光パネル設置位置の日射量を計算する。日射量計算部は、前記高度角、前記太陽光パネル設置位置の日射量、前記太陽光パネルの設置角度情報及び前記太陽光パネルの設置方向情報に基づいて太陽光パネル傾斜面の日射量を計算する。
【００６９】
発電量計算部は、前記太陽光パネル傾斜面の日射量、前記太陽光パネル仕様情報及び前記インバータ仕様情報に基づいて太陽光発電量を計算する。発電量計算部は、前記太陽光パネル傾斜面の日射量及び前記太陽光パネル仕様情報に基づいて直流発電量を計算し、前記直流発電量及び前記インバータ仕様情報に基づいて交流発電量を計算する。
【００７０】
以上、本発明の好ましい実施形態が詳細に記述されたが、本発明の範囲はこれに限定されず、様々な変形及び均等な他の実施形態が可能である。よって、本発明の真の技術的な保護範囲は添付された特許請求の範囲によって定められなければならない。
【００７１】
例えば、本発明の例示的な実施形態による装置は、図示されたような装置それぞれのユニットにカップリングされたバス、前記バスにカップリングされた少なくとも一つのプロセッサを含むことができ、命令、受信されたメッセージ又は生成されたメッセージを格納するために前記バスにカップリングされ、前述したような命令を実行するための少なくとも一つのプロセッサにカップリングされたメモリを含むことができる。
【００７２】
また、本発明によるシステムは、コンピュータ読み取り可能な記録媒体にコンピュータ読み取り可能なコードとして実現することができる。コンピュータ読み取り可能な記録媒体は、コンピュータシステムによって読み取り可能なデータが格納される全ての記録装置を含む。前記コンピュータ読み取り可能な記録媒体は、マグネチック格納媒体（例えば、ＲＯＭ、フロッピーディスク、ハードディスク等）及び光学的な読取媒体（例えば、ＣＤ−ＲＯＭ、ＤＶＤ等）を含む。また、コンピュータ読み取り可能な記録媒体は、ネットワークで連結されたコンピュータシステムに分散し、分散方式でコンピュータ読み取り可能なコードが格納し実行される。
【図１】
2019045462.tif 000003
【図２】
2019045462.tif 000004
【図３】
2019045462.tif 000005
【図４】
2019045462.tif 000006
【図５】
2019045462.tif 000007